(57)【要約】【課題】本発明の課題は、ＣＰＵのスリープモード動作時における貫通電流を阻止し、消費電流を低減することのできる光ディスク装置を提供することである。【解決手段】上記課題は、ＣＰＵと接続され、該ＣＰＵと信号のやりとりを行なうロジック回路を備えた光ディスク装置において、前記ＣＰＵと前記ロジック回路間でやりとりされる信号のラインにプルアップ回路あるいはプルダウン回路を備えたことを特徴とする光ディスク装置にて解決される。【選択図】　　　図２
2004110920.tif 000002
【特許請求の範囲】
【請求項１】
ＣＰＵと接続され、該ＣＰＵと信号のやりとりを行なうロジック回路を備えた光ディスク装置において、
前記ＣＰＵと前記ロジック回路間でやりとりされる信号のラインにプルアップ回路あるいはプルダウン回路を備えたことを特徴とする光ディスク装置。
【請求項２】
請求項１記載の光ディスク装置において、
前記プルアップ回路は、電源電位ノードと出力ノードとの間に接続されるプルアップ抵抗を備え、
前記プルダウン回路は、前記出力ノードと接地電位ノードとの間に接続されるプルダウン抵抗を備えたことを特徴とする光ディスク装置。
【請求項３】
ＣＰＵと接続され、該ＣＰＵと信号のやりとりを行なうロジック回路を備えた光ディスク装置において、
前記ロジック回路内にプルアップ回路あるいはプルダウン回路を備えたことを特徴とする光ディスク装置。
【請求項４】
ＣＰＵと接続され、該ＣＰＵと信号のやりとりを行なうロジック回路を備えた光ディスク装置において、
前記ＣＰＵと前記ロジック回路間にプルアップ抵抗を接続する接続状態とプルダウン抵抗を接続する接続状態とを切替える切替手段を設け、
前記切替手段は、所定の指示に基づいて、プルアップ抵抗を接続する接続状態とプルダウン抵抗を接続する接続状態とを切替えることを特徴とする光ディスク装置。
【発明の詳細な説明】
【０００１】
【発明の属する技術分野】
本発明は、光ディスク装置に係り、詳しくは、ＣＰＵとロジック回路間において貫通電流の発生を阻止することができる光ディスク装置に関する。
【０００２】
【従来の技術】
一般に、光ディスク装置（以下、ＣＤ−ＲＯＭドライブ装置という）では、ディスク停止の状態にあるスリープモード、待機状態にあるスタンバイモード、ホストコンピュータからの指示に応答して、動作するアクティブモード等がある。例えば、スリープモードとは、ＣＤ−ＲＯＭドライブ装置内のＣＰＵ（マイクロコンピュータ）の動作クロックのみを停止させ、ＣＰＵ以外の機能を動作させるモードである。これにより、周辺機能を動作させたまま低消費電力化が可能となっている。　また、上記ＣＰＵは、サーボプロセッサ（ＤＳＰ等のロジックＩＣ）等と接続され、ディスクの回転数が適正になるようサーボプロセッサと協調した制御処理がなされる。
【０００３】
【発明が解決しようとする課題】
上記のようなＣＤ−ＲＯＭドライブ装置では、スリープモード時、上記ＣＰＵの出力に使用しているポートがハイインピーダンス状態になることがある。ハイインピーダンス状態になると、このポートに接続されている負荷側のサーボプロセッサ等のロジックＩＣに貫通電流が流れ、消費電流が増加したり、電源電位およびグランド電位が不安定になったり、内部回路に誤動作が生じることがあった。
【０００４】
本発明は、上記のような問題点に鑑みてなされたもので、その課題とするところは、上記ＣＰＵのスリープモード動作時における貫通電流を阻止し、消費電流を低減することのできる光ディスク装置を提供することである。
【０００５】
【課題を解決するための手段】
上記課題を解決するため、本発明に係る光ディスク装置は、請求項１に記載されるように、ＣＰＵと接続され、該ＣＰＵと信号のやりとりを行なうロジック回路を備えた光ディスク装置において、前記ＣＰＵと前記ロジック回路間でやりとりされる信号のラインにプルアップ回路あるいはプルダウン回路を備えたことを特徴としている。
【０００６】
また、請求項２に記載されるように、前記光ディスク装置において、前記プルアップ回路は、電源電位ノードと出力ノードとの間に接続されるプルアップ抵抗を備え、前記プルダウン回路は、前記出力ノードと接地電位ノードとの間に接続されるプルダウン抵抗を備えたことを特徴としている。
【０００７】
また、請求項３に記載されるように、ＣＰＵと接続され、該ＣＰＵと信号のやりとりを行なうロジック回路を備えた光ディスク装置において、前記ロジック回路内にプルアップ回路あるいはプルダウン回路を備えたことを特徴としている。
【０００８】
また、請求項４に記載されるように、ＣＰＵと接続され、該ＣＰＵと信号のやりとりを行なうロジック回路を備えた光ディスク装置において、前記ＣＰＵと前記ロジック回路間にプルアップ抵抗を接続する接続状態とプルダウン抵抗を接続する接続状態とを切替える切替手段を設け、前記切替手段は、所定の指示に基づいて、プルアップ抵抗を接続する接続状態とプルダウン抵抗を接続する接続状態とを切替えることを特徴としている。
【０００９】
上記本発明の構成によれば、光ディスク装置内のＣＰＵとロジックＩＣ（例：ＤＳＰ）間にプルアップ回路あるいはプルダウン回路を挿入することにより、ＣＰＵのスリープモード動作時における出力ポートの状態がハイインピーダンス状態になっても電位を安定に保つことができるようになり、貫通電流の発生を防ぐことができる。その結果、ＣＰＵのスリープモード動作時における消費電流を低減することが可能となり、バッテリー寿命を延ばすことが可能となる。
【００１０】
また、プルアップ回路あるいはプルダウン回路をロジックＩＣの内部に設けることで、上記同様の効果を得ることができる。
【００１１】
さらに、プルアップ回路とプルダウン回路をスイッチングして切替えることで、上記同様の効果が得られるとともに、ユーザの使い勝手を良くすることができる。
【００１２】
【発明の実施の形態】
以下、本発明の実施の形態を図面に基づいて説明する。
【００１３】
本発明の実施の一形態に係る光ディスク装置は、例えば、図１に示すように構成される。
【００１４】
図１において、この光ディスク装置は、例えば、ＣＤ−ＲＯＭドライブ装置であって、ディスク（光ディスク）１１、ディスク１１面上にあるデータを読み取る光ピックアップ１２、ディスク１１を回転させるスピンドルモータ１３、スピンドルモータ１３の回転速度を制御するスピンドルモータ制御回路１４、光ピックアップ１２で読み取った信号を整形、各種必要な信号を生成するＲＦアンプ１５、スピンドルモータ制御回路１４等を制御するＤＳＰ（ロジックＩＣ）１６、ＤＳＰ１６の出力データに対してエラー補正等を行なうとともに、ホストコンピュータ１９からのコマンドを入力するデコーダ１７、デコーダ１７からの出力データを外部装置、例えば、ホストコンピュータ１９へ接続するための信号に変換するインターフェース回路であるホストＩ／Ｆ１８、上記ＤＳＰ１６やデコーダの１７制御を司るマイクロコンピュータ（ＣＰＵ）２０から構成される。
【００１５】
図２は、図１に示す上記ＣＰＵ２０と上記ＤＳＰ１６間に備えられる本発明のプルアップ回路（同図（ａ））あるいはプルダウン回路（同図（ｂ））図を示した図である。同図（ａ）が示すように、プルアップ回路は抵抗Ｒａ１（プルアップ抵抗）を介して電源ＶＤＤのプラス側に接続される。また、プルダウン回路は、同図（ｂ）が示すように、抵抗Ｒｂ２（プルダウン抵抗）を介して電源のグランド側に接続される。上記ＣＰＵ２０がスリープモード動作時は、出力ポートの出力がハイインピーダンス状態になる場合があり、その場合、回路が完全に切り離された状態、つまり回路がオープンになってしまうため、従来は、“ＨＩ”’か“ＬＯ”’かの電位が不定になってしまい、機器が誤動作を引き起こしてしまう可能性があったが、本発明の上記プルアップ回路を上記ＣＰＵ２０と上記ＤＳＰ１６間に挿入することで、上記ＣＰＵ２０の出力ポートからの信号線がハイインピーダンス状態となった場合でも“ＨＩ”レベルが保証される。また、プルダウン回路が挿入された場合は、上記ＣＰＵ２０の出力ポートからの信号線がハイインピーダンス状態となった場合でも“ＬＯ”レベルが保証される。すなわち、上記ＣＰＵ２０のスリープモード動作時の電位を安定に保つことができるようになり、貫通電流の発生を防ぐことができる。その結果、上記ＣＰＵ２０のスリープモード動作時における消費電流を低減することが可能となり、バッテリー寿命を延ばす効果を奏する。
【００１６】
上記実施例では、上記ＣＰＵ２０と上記ＤＳＰ１６間に上記プルアップ回路あるいは上記プルダウン回路を挿入する例を示したが、本発明の実施形態はこれに限定されるものではない。例えば、上記プルアップ回路あるいは上記プルダウン回路をロジックＩＣ（本例では、上記ＤＳＰ１６）内に内蔵するような形態であってもかまわない。
【００１７】
また、図３に示すように、上記プルアップ回路と上記プルダウン回路を必要に応じて切替えるような形態であったてもよい。図３において、切替スイッチ１００の一方の接点ａは、例えば、直流電圧端子ＶＤＤに接続され、他方の接点ｂはアース（０Ｖ）されている。本実施例では、上記切替スイッチとして、ディップスイッチ等を想定する。切替スイッチ１００の共通接点ｃは、抵抗Ｒｃ３を介してＤＳＰ１６に接続されている。本実施例では、上記切替スイッチ１００の接点（ｃ−ａ）間がオンになるように切替スイッチ１００が手動操作されると、抵抗Ｒｃ３がプルアップ抵抗としてＤＳＰ１６の入力端子に接続された接続状態となり、（ｃ−ｂ）間がオンになるように切替スイッチ１００が手動操作されると、抵抗Ｒｃ３がプルダウン抵抗としてＤＳＰ１６の入力端子に接続された接続状態となる。これにより、プルダウン回路とプルアップ回路をその都度構成しなくても上記同様の効果を得ることができ、使い勝手も良くなる。
【００１８】
上記例において、切替スイッチ１００の切り替え機能が切替手段に対応する。
【００１９】
【発明の効果】
以上、説明したように、本願発明によれば、光ディスク装置内のＣＰＵとロジックＩＣ（例：ＤＳＰ）間にプルアップ回路あるいはプルダウン回路を挿入することにより、ＣＰＵのスリープモード動作時における出力ポートの状態がハイインピーダンス状態になっても電位を安定に保つことができるようになり、貫通電流の発生を防ぐことができる。その結果、ＣＰＵのスリープモード動作時における消費電流を低減することが可能となり、バッテリー寿命を延ばすことが可能となる。
【００２０】
【図面の簡単な説明】
【図１】本発明の実施の一形態に係る光ディスク装置の構成を示す図である。
【図２】図１に示すＣＰＵとＤＳＰ間に備えられるプルアップ回路またはプルダウン回路例を示す図である。
【図３】ＣＰＵとＤＳＰ間に備えられるプルアップ回路とプルダウン回路を切替える例を示す図である。
【符号の説明】
１　　抵抗Ｒａ
２　　抵抗Ｒｂ
３　　抵抗Ｒｃ
１１　ディスク
１２　光ピックアップ
１３　スピンドルモータ
１４　スピンドルモータ制御回路
１５　ＲＦアンプ
１６　ＤＳＰ（ＩＣ）
１７　デコーダ
１８　ホストＩ／Ｆ
１９　ホストコンピュータ
２０　ＣＰＵ
１００　切替スイッチ
【図１】
2004110920.tif 000003
【図２】
2004110920.tif 000004
【図３】
2004110920.tif 000005